(57)【要約】【課題】排気抵抗を小さくしつつ、外部にドレン水が飛散することを適切に防止または抑制可能な熱交換器を提供する。【解決手段】熱交換器ＨＥは、排気口２２の内側またはこの排気口２２と伝熱管３との相互間に設けられたドレン水飛散防止部４を備え、このドレン水飛散防止部４は、伝熱管３の配置領域の前部および排気口２２の基端側開口部２２ａよりも上下幅が小さく、かつドレン水飛散防止部４の上下幅方向の中心Ｐが、伝熱管３の配置領域の上下幅方向の中心線Ｃ１またはその延長線よりも上方に位置するように、伝熱管３の配置領域の前部に対して上方に偏った配置で対向し、ケース２内には、加熱用気体をドレン水飛散防止部４の上側および下側の両領域に上下分岐させて流れさせる上側および下側の加熱用気体流路７Ａ，７Ｂが設けられている。【選択図】  図３
2020085360.tif 000002
【特許請求の範囲】
【請求項１】
加熱用気体が内部に供給されるケースと、
このケース内に収容された少なくとも１つの伝熱管と、
前記ケースの前壁部に設けられ、かつ前記伝熱管の配置領域を前方に向けて通過した前記加熱用気体を前記ケースの外部に排出するための排気口と、
この排気口の内側またはこの排気口と前記伝熱管との相互間の位置に設けられたドレン水飛散防止部と、
を備えている、熱交換器であって、
前記ドレン水飛散防止部は、前記伝熱管の配置領域の前部および前記排気口の基端側開口部よりも上下幅が小さく、かつ前記ドレン水飛散防止部の上下幅方向の中心が、前記伝熱管の配置領域の上下幅方向の中心線またはこれをその前方に延ばした延長線よりも上方に位置するように、前記伝熱管の配置領域の前部に対して上方に偏った配置で対向しており、
前記ケース内に設けられ、かつ前記伝熱管の配置領域を通過した後の前記加熱用気体を、前記ドレン水飛散防止部の上側および下側の両領域に上下分岐した状態で流れさせる上側および下側の加熱用気体流路を、備えていることを特徴とする、熱交換器。
【請求項２】
請求項１に記載の熱交換器であって、
前記ドレン水飛散防止部は、正面視において、前記排気口の基端側開口部を略水平方向に横切り、かつ前記基端側開口部のうち、前記ドレン水飛散防止部の上側および下側のそれぞれの領域が開口領域となるように設けられている、熱交換器。
【請求項３】
請求項１または２に記載の熱交換器であって、
前記ドレン水飛散防止部の上端は、前記伝熱管の配置領域の前部の上端よりも低い高さに設定されている、熱交換器。
【請求項４】
請求項１ないし３のいずれかに記載の熱交換器であって、
前記ドレン水飛散防止部は、前記ケースの前壁部よりも前記伝熱管寄りに設けられている、熱交換器。
【請求項５】
請求項１ないし４のいずれかに記載の熱交換器であって、
前記ドレン水飛散防止部は、前記伝熱管の配置領域の前部に対向して上下高さ方向に起立する起立壁部と、この起立壁部の上部および下部に繋がり、かつこれらの部分から前記ケースの前方に向けて延びる上側および下側の整流用壁部と、を備えている、熱交換器。
【請求項６】
請求項１ないし５のいずれかに記載の熱交換器であって、
前記ドレン水飛散防止部は、前記ケースとは別部材で構成されており、かつ前記ケースの前壁部の内面側に直接または間接的に取付けられている、熱交換器。
【請求項７】
請求項１ないし６のいずれかに記載の熱交換器を備えていることを特徴とする、温水装置。
【発明の詳細な説明】
【技術分野】
【０００１】
本発明は、燃焼ガスなどの加熱用気体から伝熱管を利用して熱回収を行なうタイプの熱交換器、およびこれを備えた給湯装置などの温水装置に関する。
【背景技術】
【０００２】
温水装置の具体例として、特許文献１に記載のものがある。
同文献に記載の温水装置は、バーナにより発生された燃焼ガスから１次熱交換器および２次熱交換器を用いて顕熱および潜熱を回収し、湯水加熱を行なうものである。２次熱交換器においては、潜熱回収に伴って、伝熱管の表面にドレン水が発生し、かつこのドレン水が燃焼ガスによって排気口から２次熱交換器の前方に飛散する虞がある。このようなドレン水の飛散は、温水装置の前面部およびその周辺部を汚染させることとなり、解消することが望まれる。
そこで、特許文献１においては、２次熱交換器の前壁部に設けられている排気口の前方に、多数の通気孔を有する多孔状のドレン水飛散防止部が設けられている。また、排気口の基端側開口部は、ドレン水飛散防止部よりも小サイズに絞られている。
このような構成によれば、排気口から燃焼ガス（排ガス）を外部に排気させる機能を確保しつつ、燃焼ガスによって伝熱管から吹き飛ばされたドレン水が排気口を通過して外部に排出することを抑制することが可能である。
【０００３】
しかしながら、前記従来技術においては、次に述べるように、未だ改善すべき余地があった。
すなわち、前記従来技術においては、排気口の基端側開口部が小さな面積に絞られていることに加え、燃焼ガスは多孔状のドレン水飛散防止部を通過してから外部に排気される構成とされているため、排気抵抗が大きくなる。排気抵抗が大きいと、たとえばバーナに燃焼用空気を供給するファンの回転速度を高速にする必要が生じて、その騒音が大きくなるなどの不利を生じる。
これを解消すべく、排気口の基端側開口部を大きな面積とし、かつドレン水飛散防止部の通気孔のサイズを大きく開口させるといった手段を採用すると、２次熱交換器の外部へのドレン水の飛散量が多くなる不利を生じる。
【先行技術文献】
【特許文献】
【０００４】
【特許文献１】特許第６０２３１３３号公報
【発明の概要】
【発明が解決しようとする課題】
【０００５】
本発明は、前記したような事情のもとで考え出されたものであり、排気抵抗を小さくしつつ、外部にドレン水が飛散することを適切に防止または抑制することが可能な熱交換器、およびこれを備えた温水装置を提供することを、その課題としている。
【課題を解決するための手段】
【０００６】
上記の課題を解決するため、本発明では、次の技術的手段を講じている。
【０００７】
本発明の第１の側面により提供される熱交換器は、加熱用気体が内部に供給されるケースと、このケース内に収容された少なくとも１つの伝熱管と、前記ケースの前壁部に設けられ、かつ前記伝熱管の配置領域を前方に向けて通過した前記加熱用気体を前記ケースの外部に排出するための排気口と、この排気口の内側またはこの排気口と前記伝熱管との相
互間の位置に設けられたドレン水飛散防止部と、を備えている、熱交換器であって、前記ドレン水飛散防止部は、前記伝熱管の配置領域の前部および前記排気口の基端側開口部よりも上下幅が小さく、かつ前記ドレン水飛散防止部の上下幅方向の中心が、前記伝熱管の配置領域の上下幅方向の中心線またはこれをその前方に延ばした延長線よりも上方に位置するように、前記伝熱管の配置領域の前部に対して上方に偏った配置で対向しており、前記ケース内に設けられ、かつ前記伝熱管の配置領域を通過した後の前記加熱用気体を、前記ドレン水飛散防止部の上側および下側の両領域に上下分岐した状態で流れさせる上側および下側の加熱用気体流路を、備えていることを特徴としている。
【０００８】
このような構成によれば、次のような効果が得られる。
第１に、排気抵抗を小さくすることが可能である。より具体的には、ケース内には、ドレン水飛散防止部が設けられているものの、このドレン水飛散防止部は、排気口の基端側開口部、および伝熱管の前部よりも上下幅が小さい。また、伝熱管の配置領域を通過した加熱用気体は、上側および下側の加熱用気体流路を経て排気口に至るが、その際にはドレン水飛散防止部の上側および下側の両領域を上下分岐した状態で流れる。ここで、上側および下側の加熱用気体流路は、大きな断面積の流路とし、かつ排気口の基端側開口部は、大きな開口サイズにすることが可能である。したがって、燃焼ガスの流れを円滑なものとし、排気抵抗を小さくすることが可能である。
第２に、伝熱管からその前方へ吹き飛ばされるドレン水が排気口を通過してケースの外部に飛散することを適切に防止または抑制することが可能である。より具体的には、伝熱管からその前方に加熱用気体によって吹き飛ばされるドレン水のうち、一部はドレン水飛散防止部に当たってその下方に流れ落ちる。また、前記ドレン水のうち、他の一部として、上側および下側の加熱用気体流路を流れる加熱用気体に混ざるものがあるが、伝熱管は、下部側ほどドレン水の付着量が多く（ドレン水は重力によって伝熱管の表面を下部側に流れていく）、伝熱管の上部からのドレン水飛散量は少ないため、上側の加熱用気体流路を多くのドレン水が通過して排気口に進入することはない。一方、下側の加熱用気体流路においては、ドレン水飛散防止部に衝突した加熱用気体が下向きに偏向して流れるため、伝熱管からその前方に吹き飛ばされるドレン水の飛散距離を短くすることができる。ドレン水飛散防止部は、伝熱管の配置領域の前部に対して上方に偏った配置で対向しているため、下側の加熱用気体流路を流れる加熱用気体の量は多くなり、これに混ざるドレン水の量も多くなる傾向があるが、前記した作用により、多くのドレン水の飛散距離を短くすることが効果的に図られる。このようなことから、多くのドレン水が排気口に進入することを阻止し、または排気口を通過しないようにし、ケースの外部に多くのドレン水が飛散して、その周辺部が汚染するといった不具合を生じないようにすることが可能である。
【０００９】
本発明において、好ましくは、前記ドレン水飛散防止部は、正面視において、前記排気口の基端側開口部を略水平方向に横切り、かつ前記基端側開口部のうち、前記ドレン水飛散防止部の上側および下側のそれぞれの領域が開口領域となるように設けられている。
【００１０】
このような構成によれば、上側および下側の加熱用気体流路のそれぞれから排気口への加熱用気体の流入がより円滑となり、排気抵抗を小さくする上で、より好ましいものとなる。
【００１１】
本発明において、好ましくは、前記ドレン水飛散防止部の上端は、前記伝熱管の配置領域の前部の上端よりも低い高さに設定されている。
【００１２】
このような構成によれば、加熱用気体が上側の加熱用気体流路を流れ易くなり、排気抵抗をより小さくすることが可能である。一方、伝熱管の配置領域の前部の上端には、多くのドレン水が発生していないため、ドレン水飛散防止部の上端が伝熱管の配置領域の前部の上端よりも低い高さに設定されたとしても、このことに起因して多くのドレン水が排気
口に向けて飛散することはない。
【００１３】
本発明において、好ましくは、前記ドレン水飛散防止部は、前記ケースの前壁部よりも前記伝熱管寄りに設けられている。
【００１４】
このような構成によれば、ドレン水飛散防止部と伝熱管との相互間の距離が小さくなるため、この領域を通過する加熱用気体の流速を速めることができる。これは、ドレン水飛散防止部に衝突して下向きに偏向する加熱用気体の流速を速め、ドレン水の飛散距離をより短くする作用を生じさせる。したがって、ケースの外部へのドレン水の飛散量を少なくする上で、一層好ましいものとなる。
【００１５】
本発明において、好ましくは、前記ドレン水飛散防止部は、前記伝熱管の配置領域の前部に対向して上下高さ方向に起立する起立壁部と、この起立壁部の上部および下部に繋がり、かつこれらの部分から前記ケースの前方に向けて延びる上側および下側の整流用壁部と、を備えている。
【００１６】
このような構成によれば、ドレン水飛散防止部の上側および下側を加熱用気体が通過する際に、乱流を生じ難くし、大きな風切り音（騒音）を生じ難くすることが可能である。
【００１７】
本発明において、好ましくは、前記ドレン水飛散防止部は、前記ケースとは別部材で構成されており、かつ前記ケースの前壁部の内面側に直接または間接的に取付けられている。
【００１８】
このような構成によれば、ケース内にドレン水飛散防止部を容易に設けることができ、製造コストの上昇を抑制することができる。
【００１９】
本発明の第２の側面により提供される温水装置は、本発明の第１の側面により提供される熱交換器を備えていることを特徴としている。
【００２０】
このような構成によれば、本発明の第１の側面により提供される熱交換器について述べたのと同様な効果が得られる。
【００２１】
本発明のその他の特徴および利点は、添付図面を参照して以下に行なう発明の実施の形態の説明から、より明らかになるであろう。
【図面の簡単な説明】
【００２２】
【図１】本発明に係る熱交換器の一例を示す斜視図である。
【図２】図１のII−II断面図、およびその要部拡大図である。
【図３】図１および図２に示す熱交換器を備えた温水装置の一例を示す説明図であり、熱交換器は、図２のIII−III断面図に相当する。
【図４】図３の要部分解断面図である。
【図５】図２の矢視Ｖの一部破断要部斜視図である。
【図６】図５の一部破断要部分解斜視図である。
【図７】（ａ）は、図１および図２に示す熱交換器に組み付けられているドレン水飛散防止部の斜視図であり、（ｂ）は、（ａ）のVIIb−VIIb断面図である。
【図８】本発明の他の例を示す要部断面図である。
【発明を実施するための形態】
【００２３】
以下、本発明の好ましい実施の形態について、図面を参照して具体的に説明する。
【００２４】
図１および図２に示す熱交換器ＨＥは、たとえば図３に示す温水装置ＷＨの構成要素として用いられる。
図３を参照して温水装置ＷＨの構成を先に説明すると、この温水装置ＷＨは、給湯装置であり、ファン１０、このファン１０から燃焼用空気の供給を受けるバーナ１１、このバーナ１１によって発生された燃焼ガスから顕熱を回収して湯水を加熱する熱交換器１２（１次熱交換器）、および熱交換器ＨＥを備えている。熱交換器ＨＥは、潜熱回収用の２次熱交換器であり、より具体的には、熱交換器１２によって顕熱回収がなされた後の燃焼ガスから潜熱をさらに回収することによって、湯水を加熱するものである。燃焼ガスは、本発明でいう加熱用気体の一例に相当する。
【００２５】
図１〜図３において、熱交換器ＨＥは、ケース２、このケース２内に収容された複数の伝熱管３，３Ａ、およびドレン水飛散防止部４を備えている。
【００２６】
本実施形態において、熱交換器ＨＥは、いわゆる１缶２水路方式とされており、伝熱管３，３Ａは、ともに平面視において蛇行した蛇行管を用いて構成されている。一方の伝熱管３は、一般給湯の湯水加熱用であり、かつ他方の伝熱管３Ａは、風呂追い焚き、または温水暖房の湯水加熱用であり、伝熱管３の方が、伝熱管３Ａよりも長寸法の蛇行管とされている。複数の伝熱管３，３Ａは、それぞれ上下高さ方向に積層しており、かつ熱回収効率を高めるべくケース２の前後方向に位置ずれし、図３に示した側面断面視において、複数の伝熱管３は千鳥配列とされている。他方の伝熱管３Ａも同様である。複数の伝熱管３，３Ａの両端部は、ケース２の側壁部２０ｅ，２０ｆを貫通し、かつ側壁部２０ｅ，２０ｆに設けられた入水用および出湯用のヘッダ５ａ〜５ｄと接続されている。入水用のヘッダ５ａ，５ｃに入水した湯水が複数の伝熱管３，３Ａを通過する過程において、これらの湯水はケース２内に供給された燃焼ガスにより加熱され、かつその後に出湯用のヘッダ５ｂ，５ｄに至る。
【００２７】
ケース２は、略直方体状であり、後壁部２０ｂに設けられた燃焼ガス用の給気口２１，２１Ａと、前壁部２０ａに設けられた排気口２２とを有しており、給気口２１，２１Ａからケース２内に供給された燃焼ガスは、伝熱管３，３Ａにそれぞれ作用してから排気口２２に到達し、ケース２の外部に排ガスとして排出される。排気口２２は、伝熱管３用と伝熱管３Ａ用とを兼用している。図２において、符号９０は、仕切壁を示している。
【００２８】
図３において、ケース２の底壁部２０ｄの略全体は、前下がり状に傾斜している。これは、燃焼ガスからの潜熱回収に伴って複数の伝熱管３の表面に発生してから底壁部２０ｄ上に流れ落ちたドレン水を、ケース２の前寄り部分に流れさせてから、ケース２に設けられているドレン水排出口９１を利用してケース２の外部に排出させるためである。複数の伝熱管３は、底壁部２０ｄに対応した前下がり状となっている。なお、ケース２の上壁部２０ｃは、最上段の伝熱管３の上部に接触または接近する傾斜部２０ｃ’を有しているが、これは伝熱管３への燃焼ガスの作用効率を高めるためである。図示説明は省略するが、伝熱管３Ａも、前下がり傾斜状である。
【００２９】
図３および図４によく表れているように、ケース２の排気口２２は、ケース２の前壁部２０ａからその前方に突出する筒状部２３をたとえば絞り加工することにより設けられており、この筒状部２３内には、補強用の筒状部材２４の他、補助部材６が設けられている。また、筒状部２３の先端部には、キャップ７が装着されている。
キャップ７は、異物などが排気口２２の先端側開口部から排気口２２内に進入することを防止するための部材である。
【００３０】
補助部材６は、排気口２２の基端側開口部２２ａに流入してきた燃焼ガスをキャップ７の開口部７０に円滑に導く役割を果たすものである。また、補助部材６は、ケース２の底
壁部２０ｄから排気口２２内の下部に流れてきたドレン水をドレン水排出口９１にガイドするガイド壁部６０を有している。この補助部材６の基部には、図５および図６によく表れているように、フランジ部６１が設けられており、このフランジ部６１がケース２の前壁部２０ａの内面部に当接するようにしてこの前壁部２０ａに取付けられている。この取付け手段としては、たとえばスポット溶接などの溶接手段が採用される。
【００３１】
ドレン水飛散防止部４は、燃焼ガスによって伝熱管３の表面からその前方に吹き飛ばされるドレン水が排気口２２に進入することを防止するための部位である。図２に示すように、本実施形態においては、伝熱管３は、排気口２２に対向しているのに対し、伝熱管３Ａは排気口２２に対向しておらず、伝熱管３Ａからその前方に吹き飛ばされるドレン水が、排気口２２に進入する虞はなく、または殆どなく、ドレン水飛散防止部４は、伝熱管３から吹き飛ばされるドレン水の飛散防止を目的としたものとされている。
【００３２】
図５〜図７によく表れているように、ドレン水飛散防止部４は、側面断面視略コ字状の本体部４０と、この本体部４０の長手方向両端に繋がった左右一対の支持部４１とを有しており、金属板に曲げ加工を施すことにより構成されている。このドレン水飛散防止部４は、支持部４１が補助部材６のフランジ部６１にスポット溶接されるなどして取付けられており、このことによりフランジ部６１を介してケース２の前壁部２０ａの内側に間接的に取付けられている。
【００３３】
ドレン水飛散防止部４の本体部４０は、上下高さ方向に起立し、かつ複数の伝熱管３の前部に離間して対向する起立壁部４０ａと、この起立壁部４０ａの上部および下部に繋がり、かつこれらの部分からケース２の前方に向けて延びる上側および下側の整流用壁部４０ｂ，４０ｃと、を備えている。本体部４０の上下幅Ｌａは、複数の伝熱管３の配置領域の前部の上下幅（複数の伝熱管３の前部の上下幅）、および排気口２２の基端側開口部２２ａの上下幅よりも小さくされている（より好ましくは、後述するように、伝熱管３の配置領域の前部の上下幅の１／２以下である）。ドレン水飛散防止部４のケース２内への組み付け状態においては、正面視において、本体部４０が排気口２２の基端側開口部２２ａを略水平方向に横切り、かつ基端側開口部２２ａのうち、ドレン水飛散防止部４の本体部４０の上側および下側のそれぞれの領域が開口領域となるように設定されている。
【００３４】
一方、ドレン水飛散防止部４は、伝熱管３との関係においては、ドレン水飛散防止部の本体部４０の上下幅方向の中心Ｐが、複数の伝熱管３の配置領域の上下幅方向の中心線Ｃ１またはこれを前方に延ばした延長線よりも適当な寸法だけ上方に位置しており、複数の伝熱管３の配置領域の前部に対して上方に偏った配置とされている。複数の伝熱管３は、既述したとおり、前下がり状であり、その配置領域の中心線Ｃ１も前下がり状であって、燃焼ガスの進行方向はこの中心線Ｃ１に沿った方向である。好ましくは、本体部４０の上下幅Ｌａは、複数の伝熱管３の配置領域の前部の上下幅の１／２以下である。このような構成によれば、排気抵抗を小さくするのに好ましい。また、上下幅Ｌａは、伝熱管３の外径Ｄよりも大きい寸法とされているが、これは伝熱管３の１つの管体部から飛散してくるドレン水を遮断するのに必要な最低限の寸法に相当する。
【００３５】
ドレン水飛散防止部４の本体部４０の上端は、複数の伝熱管３の配置領域の前部の上端よりも適当な寸法Ｌｃだけ低い高さに設定されている（図３の要部拡大図を参照）。ドレン水飛散防止部４の起立壁部４０ａは、ケース２の前壁部２０ａよりも適当な寸法Ｌｄだけ伝熱管３寄りに位置している。
【００３６】
ドレン水飛散防止部４が前記したように取付けられている結果、ケース２内のうち、複数の伝熱管３の前方領域には、上側および下側の加熱用気体流路７Ａ，７Ｂが設けられている。これらの流路７Ａ，７Ｂは、複数の伝熱管３の配置領域を通過した後の燃焼ガスを
、ドレン水飛散防止部４の本体部４０の上側および下側の両領域に上下分岐した状態で流れさせてから排気口２２に到達させる流路である。
図２の要部拡大図に示すように、ドレン水飛散防止部４の本体部４０と支持部４１との相互間には、隙間７０が形成されている。この隙間７０は、複数の伝熱管３，３Ａの配置箇所を通過した燃焼ガスの排気口２２への流入を円滑化する役割を果たす。
【００３７】
次に、前記した熱交換器ＨＥを備えた温水装置ＷＨの作用について説明する。
【００３８】
まず、熱交換器ＨＥのケース２内には、ドレン水飛散防止部４が、正面視において排気口２２を横切るように設けられているが、このドレン水飛散防止部４の上下幅Ｌａは、小さくされており、しかもケース２内には、上側および下側の加熱用気体流路７Ａ，７Ｂが設けられて、複数の伝熱管３の配置箇所を通過した燃焼ガスは、ドレン水飛散防止部４の上側および下側に分岐したかたちで流れてから排気口２２に到達するようにされている。上側および下側の加熱用気体流路７Ａ，７Ｂは、大きな流路断面積であり、また排気口２２の基端側開口部２２ａは、正面視においてドレン水飛散防止部４の上側および下側は、ともに十分な開口面積で開口している。このようなことから、ドレン水飛散防止部４が設けられていることに起因して燃焼ガス流れに対する抵抗が大きく増加することはなく、排気抵抗を小さくすることが可能である。
【００３９】
伝熱管３からその前方に燃焼ガスによって吹き飛ばされるドレン水のうち、一部はドレン水飛散防止部４に直接当たり、下方に流れ落ちる。また、ドレン水としては、上側および下側の加熱用気体流路７Ａ，７Ｂを流れる燃焼ガスに混ざったものがあるが、伝熱管３に付着するドレン水は、伝熱管３の下部側ほどドレン水の付着量が多くなり、伝熱管３の前部の上部から多くのドレン水がその前方に吹き飛ばされることはない。このため、多くのドレン水が、上側の加熱用気体流路７Ａを通過して排気口２２に到達するとはない。
【００４０】
一方、下側の加熱用気体流路７Ｂにおいては、ドレン水飛散防止部４に衝突した燃焼ガスが本来の進行方向よりも下向きに偏向して流れる。また、ドレン水飛散防止部４は、既述したように、複数の伝熱管３の配置領域の前方において、上方に偏った配置に設けられている。このため、複数の伝熱管３の前部の高さ方向中央部付近、およびそれよりも下部領域からその前方に吹き飛ばされるドレン水の飛散距離は短くなり、排気口２２に多くのドレン水が進入することは防止され、または仮に排気口２２にドレン水が進入したとしても、排気口２２の先端開口部を外部に向けて通過しないものとなる。
このようなことから、ケース２の外部に多くのドレン水が飛散することは適切に防止または抑制されることとなり、ケース２の外部がドレン水によって汚染されるといった不具合を生じないようにすることが可能である。
【００４１】
ドレン水飛散防止部４の上端は、複数の伝熱管３の配置領域の前部の上端よりも低い高さに設定されているため、排気抵抗をより小さくすることが可能である。また、伝熱管３の前部の上端は、ドレン水が多く付着しない部位であるため（ドレン水は下方に流れていく）、ドレン水飛散防止部４の上端の高さを低くしたことに起因して、ドレン水が排気口２２内に多く進入するといった不具合もない。
【００４２】
ドレン水飛散防止部４は、既述したように、ケース２の前壁部２０ａよりも伝熱管３寄りに設けられており、ドレン水飛散防止部４と複数の伝熱管３との相互間領域の幅は、部分的に狭くされている。このため、この領域においては、燃焼ガスの流速が速くなり、ドレン水飛散防止部４の下側を通過する燃焼ガスが、本来の進行方向よりも下向きに偏向する度合いを大きくすることが可能である。このことにより、前記燃焼ガスに混ざったドレン水が排気口２２内に一層進入し難くなる作用も得られる。
【００４３】
ドレン水飛散防止部４は、起立壁部４０ａの上部および下部に、ケース２の前方側（燃焼ガス流れ方向下流側）に延びる上側および下側の整流用壁部４０ｂ，４０ｃが繋がった形態であるため、ドレン水飛散防止部４の上側および下側を燃焼ガスが通過する際に、乱流を生じ難くし、大きな風切り音を生じ難くすることが可能である。また、本実施形態においては、ドレン水飛散防止部４は、ケース２とは別体で構成され、かつ補助部材６のフランジ部６１に取付けられているため、ケース２への組み付け作業も容易であり、製造コストの上昇も抑制することが可能である。その他、本実施形態においては、図２の要部拡大図を参照して説明した隙間７０が、排気抵抗をより小さくする効果も生じさせる。
【００４４】
図８は、本発明の他の実施形態を示している。同図において、前記実施形態と同一または類似の要素には、前記実施形態と同一の符号を付すこととし、重複説明は省略する。
【００４５】
図８に示す実施形態においては、ドレン水飛散防止部４が排気口２２内の後部寄りの位置に設けられている。本実施形態によれば、先の実施形態と比較すると、排気口２２内に進入するドレン水の量が多くなる可能性はあるものの、本発明が意図する作用を得ることが可能である。
本実施形態および先の実施形態から理解されるように、ドレン水飛散防止部４は、排気口２２の内側、または排気口２２と伝熱管３との相互間の位置のいずれに設けられていてもよい。
【００４６】
本発明は、上述した実施形態の内容に限定されない。本発明に係る熱交換器、および温水装置の各部の具体的な構成は、本発明の意図する範囲内において種々に設計変更自在である。
【００４７】
ドレン水飛散防止部は、軽量化や製造コストの低減を図りつつ、風切り音を小さくする観点からすると、上述した実施形態のように、断面コ字状の形態のものにすることが好ましいものの、ドレン水飛散防止部の具体的な形状はこれに限定されない。たとえば、単なる帯板状のものとすることもできる。また、ドレン水飛散防止部は、補助部材を介してケースに取付けられた構成に代えて、補助部材などの他の部材を用いることなく、ケースの前壁部に直接取付けた構成とすることもできる。
【００４８】
排気口は、正面視円形状に限らず、たとえば正面視矩形状、楕円状などであってもよく、その具体的な形状やサイズなどは限定されない。
上述の実施形態においては、熱交換器ＨＥが、１つのケース２内に２系統の伝熱管３，３Ａが収容された１缶２水路方式とされているが、本発明はこれに限らず、たとえば１缶１水路方式とすることもできることは言う迄もない。
伝熱管は、蛇行管を用いたものに限らず、たとえば平面視円形状、楕円状、または長円状などの螺旋管、あるいは直状管などを用いた構成とすることもできる。
伝熱管は、必ずしも前下がり状に傾斜していなくてもよく、たとえば略水平状とされていてもよい。
本発明に係る温水装置は、一般給湯用、風呂給湯用、暖房給湯用の他、融雪用なども含み、熱交換器を利用して加熱用気体から熱回収を行なうことによって温水を生成する装置全般を含む。加熱用気体は、燃焼ガスに代えて、たとえば高温の排ガスなどとすることもできる。
本発明でいう「ケースの前壁部」は、熱交換器のケース自体の前壁部であり、熱交換器を温水装置に組み付けた場合において、ケースの前壁部は、必ずしも温水装置の前側に位置している必要はない。
【符号の説明】
【００４９】
ＨＥ  熱交換器
ＷＨ  温水装置
Ｃ１  中心線（伝熱管の）
Ｐ  中心（ドレン水飛散防止部の）
２  ケース
２０ａ  前壁部
２２  排気口
２２ａ  基端側開口部（排気口の）
３  伝熱管
４  ドレン水飛散防止部
４０ａ  起立壁部
４０ｂ，４０ｃ  整流用壁部
７Ａ，７Ｂ  加熱用気体流路
【図１】
2020085360.tif 000003
【図２】
2020085360.tif 000004
【図３】
2020085360.tif 000005
【図４】
2020085360.tif 000006
【図５】
2020085360.tif 000007
【図６】
2020085360.tif 000008
【図７】
2020085360.tif 000009
【図８】
2020085360.tif 000010